(57)【要約】【課題】温度および湿度の調節装置から容易に取り外すことができ、また前記調節装置に容易に取り付けることができるモジュール式の表示・制御用ユニットを提供すること。【解決手段】モジュール式の表示・制御用ユニットは、電気装置に取り付けられる。前記表示・制御用ユニットは、制御モジュール、感知モジュール、表示モジュール、第１の接続インターフェース、第２の接続インターフェースおよび取付具を有する。前記表示・制御用ユニットは、清掃、整備または修理のために前記電気装置から取り外すことができる。表示・制御用ユニットを取り外した後、前記電気装置の使用を中断させることなく前記電気装置の継続的な使用を維持するために前記電気装置に代替品を取り付けることができる。【選択図】図１
2007170688.tif 000002
【特許請求の範囲】
【請求項１】
電気装置に取り付けられるモジュール式の表示・制御用ユニットであって、前記電気装置により制御される環境条件を調節するために操作パラメーターを設定する設定ユニットを有する制御モジュールと、環境条件の状態を感知する感知モジュールと、該感知モジュールにより感知された環境条件の状態を表示する表示モジュールと、データ収集装置に接続されるデータ送信インターフェースとしての第１の接続インターフェースと、前記電気装置に接続される第２の接続インターフェースと、前記モジュール式の表示・制御用ユニットを前記電気装置に取り付ける取付具とを含む、モジュール式の表示・制御用ユニット。
【請求項２】
前記電気装置は、温度および湿度を調節することができる保管装置である、請求項１に記載のモジュール式の表示・制御用ユニット。
【請求項３】
前記感知モジュールは、温度および湿度を感知する複数のセンサーを含み、前記表示モジュールは、温度表示装置と湿度表示装置とを含む、請求項１に記載のモジュール式の表示・制御用ユニット。
【請求項４】
前記データ収集装置はコンピュータである、請求項１に記載のモジュール式の表示・制御用ユニット。
【発明の詳細な説明】
【技術分野】
【０００１】
本発明は、温度または湿度の調節装置、より詳細には、モジュール式の表示・制御用ユニットを有する調節装置に関する。
【背景技術】
【０００２】
湿気が多い環境では、大気中の湿気が酸化、錆またはかびのような損傷を金属および電子部品に与える。電子産業では、前記湿気は、製造された電子製品の品質を保証するために正確に制御されなければならない。高度の精密さを伴う製造方法は、環境条件の正確な制御に依存する。このため、電子製品の工場では湿度調節装置が広く使用されている。
【０００３】
湿度調節装置は、主に、表示装置と、センサーと、温度または湿度の制御装置とを含む。前記センサーは、温度および湿度のような周囲の環境条件のデータを集める。前記制御装置は、前記データを設定値と比較した後、現在の環境条件を調節するかどうかを決定する。前記データは前記表示装置に表示される。殆どの温度または湿度の調節装置では、表示・制御用装置は、通常、不可欠な部分であり、取り外すことができない。前記センサーまたは前記表示装置のような前記調節装置の部品に不具合が生じた場合、保守担当の操作員が修理のために前記調節装置の全体を工場から移動させなければならない。修理が直ちに終わらなければ、前記工場は前記調節装置を使用できない状態が続き、製造過程で損害が発生する。
【発明の開示】
【発明が解決しようとする課題】
【０００４】
本発明の目的は、温度および湿度の調節装置に取り付けられるモジュール式の表示・制御用ユニットであって、前記調節装置から容易に取り外すことができ、また前記調節装置に容易に取り付けることができるモジュール式の表示・制御用ユニットを提供することである。
【０００５】
さらに、モジュール式の表示・制御用ユニットを修理のために前記調節装置から取り外すとき、前記調節装置の全体を工場から移動させることや前記調節装置の使用を中断させることなく前記調節装置の継続的な使用を維持するために元の表示・制御用ユニットに代えて代替品を取り付けることができる。
【課題を解決するための手段】
【０００６】
前記表示・制御用ユニットは、電気装置に取り付けられ、制御モジュール、感知モジュール、表示モジュール、第１の接続インターフェース、第２の接続インターフェースおよび取付具を有する。
【０００７】
前記制御モジュールにより、環境条件を調節するための操作パラメーターが所望の値に設定される。前記感知モジュールは周囲の環境の状態を監視する。前記表示モジュールは、前記感知モジュールで感知された環境の状態を表示する。前記第１の接続インターフェースは、データ収集装置に接続されるデータ送信インターフェースとして機能する。前記第２の接続インターフェースは前記電気装置に接続される。前記表示・制御用ユニットは、前記取付具により前記電気装置に取り付けられる。
【０００８】
本発明の特徴および構成は、添付の図面に関しての以下の詳細な説明からより明らかになる。
【発明を実施するための最良の形態】
【０００９】
図１、３に示すように、本発明に係るモジュール式の表示・制御用ユニット１０は、電気装置７０によって調節される環境パラメーターを表示しかつ監視するために電気装置７０に取り付けられる。表示・制御用ユニット１０は、表示モジュール２０、制御モジュール３０および第１の接続インターフェース４０を含む。表示モジュール２０は、温度表示装置と湿度表示装置とを備える。電気装置７０により他の環境パラメーターの表示および（または）監視をする場合、表示モジュール２０は、他の種類の表示装置を追加することによって適宜変更することができる。例えば、ガス濃度や粉塵濃度を監視するときは、ガス濃度および粉塵濃度用の追加の表示装置を取り付ける。制御モジュール３０は、環境条件を制御するように所望の環境パラメーターを設定するのに使用される。第１の接続インターフェース４０は、表示・制御用ユニット１０をデータの収集および処理のための装置（図示せず）に接続するデータの送信および制御のためのインターフェースとして機能する。前記データの収集および処理のための装置はコンピュータとすることができる。
【００１０】
表示・制御用ユニット１０の背面は、図２に示すように、第２の接続インターフェース４２、取付具５０および感知モジュール５５を有する。感知モジュール５５は、温度および湿度を感知する複数のセンサーを備える。第２の接続インターフェース４２は、表示・制御用ユニット１０を電気装置７０に接続する。表示・制御用ユニット１０は、図３に示す一対の突起５０ｂのような取付具５０によって電気装置７０に取り付けられる。
【００１１】
取付具５０は、図４Ａ、４Ｂに示すねじ式の部品５０ｄ、または磁石式の接続部品（図示せず）でもよい。図示の例では、表示モジュール２０はＬＥＤディスプレイまたはＬＣＤディスプレイである。第１、第２の接続インターフェース４０、４２は、ＲＳ−２３２インターフェースまたはＵＳＢインターフェースである。第１の接続インターフェース４０は無線通信インターフェースとすることもできる。
【００１２】
図５に示すように、本発明に係る表示・制御用ユニット１０では、制御モジュール６１は、表示モジュール６０、感知モジュール６２、第１の接続インターフェース６３および電源モジュール６５に接続されている。電源モジュール６５には出力装置６６が接続されている。第１の接続インターフェース６３にはコンピュータ６４が接続されている。感知モジュール６２は、周囲の環境の温度および湿度を感知し、感知した温度または湿度のデータを制御モジュール６１に送信する。制御モジュール６１は、前記データを処理し、表示モジュール６０に表示される実際の温度および湿度の値を出力する。電源モジュール６５は、制御モジュール６１および出力装置６６に作動電力を供給するために外部の電源６７に接続される。環境パラメーターの設定値と感知した値との差に基づき、制御モジュール６１は出力装置６６を適切に起動させる。出力装置６６は、加湿装置、乾燥装置、加熱装置または冷却装置である。制御モジュール６１は、周囲の環境の温度および湿度を調節するように出力装置６６を起動させまたは停止させる。感知モジュール６２は、常に、温度および湿度の状態を監視し、温度および湿度のデータを制御モジュール６１に送信する。制御モジュール６１は、所望の環境条件を満たすまで出力装置６６を起動させまたは停止させる。外部のコンピュータ６４は、第１の接続インターフェース６３を経て制御モジュール６１の温度および湿度のデータに接続され、操作員が環境条件を制御する。
【００１３】
表示モジュール６０、制御モジュール６１、感知モジュール６２および第１の接続インターフェース６３は、表示・制御用ユニット１０を形成するように全て一体化されている。制御モジュール６１は、所望の温度および湿度の値を設定する設定ユニットを含み、表示・制御用ユニット１０は、制御モジュール６１と電源モジュール６５とに接続されるインターフェースを有する。
【００１４】
表示・制御用ユニット１０は、周囲の環境の温度および湿度を感知し、温度および湿度を調節するように出力装置６６を制御する。表示・制御用ユニット１０は、外部のコンピュータ６４に接続され、収集したデータをコンピュータ６４に出力する。また、表示・制御用ユニット１０は、湿度調節装置の電源モジュール６５を制御するように前記湿度調節装置に取り付けられ、出力装置６６（加湿装置、乾燥装置、加熱装置または冷却装置）を起動させまたは停止させることにより温度または湿度を調整する。さらに、表示・制御用ユニット１０と電源モジュール６５とは組み合わせることができる。表示・制御用ユニット１０と電源モジュール６５とを組み合わせたものは、閉ざされた空間内の温度または湿度を調節する、外部の加湿装置、外部の乾燥装置、外部の加熱装置または外部の冷却装置に接続される。
【００１５】
図６に示す例では、電気装置７０は、防湿用の箱またはキャビネットのような、温度または湿度を調節することができる保管装置である。表示・制御用ユニット１０は、温度または湿度を表示しかつ調節するために前記保管装置内に取り付けられ、前記保管装置の電源モジュールに接続されている。表示・制御用ユニット１０は、修理のために前記保管装置から取り外すことができ、また、前記保管装置には、該保管装置の通常の使用状態を維持するために他の表示・制御用ユニットを取り付けることができる。
【００１６】
図７Ａに示す例では、表示・制御用ユニット１０は、電源モジュール７２のような電気装置に取り付けられている。電源モジュール７２は、閉ざされた空間内の温度または湿度を調節する外部の温度または湿度の調節装置７４に配線８０にて電気的に接続されている。温度または湿度の調節装置７４は、加湿装置、乾燥装置、加熱装置または冷却装置である。異なる環境パラメーターを監視しかつ制御する場合、温度または湿度の調節装置７４は、異なる種類の装置、例えば、ガス濃度または粉塵濃度の制御装置に変更することができる。
【００１７】
表示・制御用ユニット１０が電源モジュール７２に取り付けられたとき、図７Ｂに示すように、感知モジュール５５（図２に示す。）を有する感知領域５７が、温度、湿度等を感知するように露出している。電源モジュール７２は、入力端子８０ａおよび複数の出力端子８０ｂ、８０ｃを有する。入力端子８０ａは、交流電源を受け入れるために外部の電源に接続される。各出力端子８０ｂ、８０ｃは、加湿装置、乾燥装置、加熱装置または冷却装置のいずれかに接続される。表示・制御用ユニット１０は、出力端子８０ｂ、８０ｃに接続された加湿装置、乾燥装置、加熱装置または冷却装置を起動させまたは停止させるように電源モジュール７２を制御する。表示・制御用ユニット１０は、専門的な訓練を受けていない使用者でも電源モジュール７２から容易に取り外すことができる。表示・制御用ユニット１０の前記センサーが定期的な整備または修理を必要とする場合、前記使用者は表示・制御用ユニット１０を取り外し、メーカーへ送り返せばよい。その間、前記電気装置の通常の使用状態が維持されるように電源モジュール７２には代替品が取り付けられる。
【００１８】
本発明によれば、清掃、整備または修理のために表示・制御用ユニット１０を電気装置から取り外さなければならないとき、前記電気装置に代替品を容易に取り付けることができ、これにより、前記電気装置の全体を取り外す必要がなくなり、また前記電気装置を使用できない状態が生じなくなる。
【００１９】
本発明の多くの特徴および利点を本発明の構成および機能の詳細とともに上記したが、開示は例示に過ぎない。特許請求の範囲に表現された語句の一般的な広い意味によって示される本発明の原理の範囲内で詳細、特に形状、大きさおよび部品の配置に関して変更が可能である。
【図面の簡単な説明】
【００２０】
【図１】本発明に係るモジュール式の表示・制御用ユニットの正面斜視図。
【図２】図１のモジュール式の表示・制御用ユニットの背面斜視図。
【図３】本発明に係るモジュール式の表示・制御用ユニットを電気装置に取り付けるときの部分的な平面図。
【図４Ａ】本発明の他の実施例に係るモジュール式の表示・制御用ユニットを電気装置に取り付けるときの部分的な平面図。
【図４Ｂ】電気装置に取り付けられた図４Ａのモジュール式の表示・制御用ユニットの部分的な平面図。
【図５】本発明に係るモジュール式の表示・制御用ユニットのシステム構成図。
【図６】本発明に係るモジュール式の表示・制御用ユニットを電気装置に取り付けるときの斜視図。
【図７Ａ】図６のモジュール式の表示・制御用ユニットの使用時の斜視図。
【図７Ｂ】図７Ａの電気装置の背面斜視図。
【符号の説明】
【００２１】
１０    表示・制御用ユニット
２０、６０    表示モジュール
３０、６１    制御モジュール
４０、６３    第１の接続インターフェース
４２    第２の接続インターフェース
５０    取付具
５５、６２    感知モジュール
６４    コンピュータ
７０    電気装置
【図１】
2007170688.tif 000003
【図２】
2007170688.tif 000004
【図３】
2007170688.tif 000005
【図４Ａ】
2007170688.tif 000006
【図４Ｂ】
2007170688.tif 000007
【図５】
2007170688.tif 000008
【図６】
2007170688.tif 000009
【図７Ａ】
2007170688.tif 000010
【図７Ｂ】
2007170688.tif 000011